(57)【特許請求の範囲】
【請求項１】
複数の箱型ユニットを積み重ねて床面が上下方向に間隔をあけて配置された階層構造の箱体からなり、各箱型ユニットの床面には床板を折り曲げて階下に通じる斜面およびユニット外部に通じる開口部を形成し、前記床面には粘着剤被覆区域を設けると共に、開口部および斜面と接する部分には粘着剤被覆のない誘導区域を設け、この箱型ユニットを各階の開口部が重ならないように積み重ねてなる徘徊性害虫の捕獲装置。
【請求項２】
外箱の内部に請求項１に記載の徘徊性害虫の捕獲装置を収容し、かつ前記外箱に加熱器を設けてなる徘徊性害虫の捕獲装置。
【請求項３】
外箱の内部に請求項１に記載の徘徊性害虫の捕獲装置を収容し、かつ前記外箱の内部に、徘徊性害虫の誘引剤を設置してなる徘徊性害虫の捕獲装置。
【発明の詳細な説明】
【０００１】
【発明の属する技術分野】
この発明は、床面を徘徊する害虫を駆除する徘徊性害虫の捕獲装置に関する。
【０００２】
【従来の技術】
一般に、ゴキブリ、アリ、ダニなどの床面を徘徊する習性のある害虫を駆除するための捕獲容器として、厚紙やプラスチック製の容器の内面に害虫捕獲用の粘着剤を塗布したものが良く知られている。
【０００３】
このような捕獲容器は、屋内の害虫が徘徊する確率が比較的高いと考えられる床面、すなわち対象害虫が好む湿度、温度、光量であって餌のある調理室や食堂などの床面に載置され、容器の大きさと粘着面積から計られる所定量以上の害虫が捕獲されたときに廃棄し、定期的に交換する方法で使用されている。
【０００４】
【発明が解決しようとする課題】
ところで、上記した従来の捕獲容器は、１週間毎または２〜３日に一度程度といった単位でかなり頻繁に交換しなければならないため、できるだけ大きな面積の粘着面を形成することが、交換作業性の点から好ましい。
【０００５】
しかしながら、前述のように屋内の床面とほぼ同一平面上に設けられる粘着面では、この面積を大きくすると容器全体を大型に平たく形成しなければならず、設置可能な床面が広い場所のみに限定されるという問題点がある。
【０００６】
また、単に粘着面を立体的に配置しても、床面から離れた粘着面の捕獲効率は充分に高くならなかった。
【０００７】
そこで、この発明の課題は上記した問題点を解決して、可及的に大面積の粘着面を有して長期間補修する必要がなく、しかも捕獲効率は充分に高い徘徊性害虫の捕獲装置とすることである。
【０００８】
【課題を解決するための手段】
上記の課題を解決するため、この発明においては、複数の床板を上下方向に間隔をあけて配置した階層構造の箱体を設け、前記箱体に各階の床面に通じる徘徊性害虫の進入路を形成し、前記床面に粘着剤被覆区域を設けると共に前記進入路に接する床面部分には粘着剤被覆のない誘導区域を設けた徘徊性害虫の捕獲装置としたのである。
【０００９】
または、徘徊性害虫の進入口を有する外箱の内部に、複数の床板を上下方向に間隔をあけて配置した階層構造の内箱を収容し、前記内箱には各階の床面に通じる進入路を形成し、前記床面に粘着剤被覆区域を設けると共に前記進入路に接する床面部分には粘着剤被覆のない誘導区域を設けた徘徊性害虫の捕獲装置としたのである。
【００１０】
また、外箱の内部に加熱器を設け、または徘徊性害虫の誘引剤を設置した上記の徘徊性害虫の捕獲容器としたのである。
【００１１】
この発明の徘徊性害虫の捕獲装置は、階層構造の箱体または内箱のそれぞれの床板に粘着剤を被覆するので、箱体または内箱の底面積に拘わらず粘着面積は必要に応じて広く設けることができ、長期間交換せずに使用することができる。
【００１２】
また、箱体または内箱には各階の床面に通じる進入路を形成しているので、害虫は、進入路を通って各階それぞれの床面に容易に進入することができる。外箱の進入口から内箱の進入路に至った害虫についても同様に各階それぞれの床面に容易に進入することができる。
【００１３】
さらに、この発明では各床面の進入路に接する床面部分には粘着被覆のない誘導区域を設けたので、この誘導区域には害虫が極めて容易に進入しやすく、次いで多くの害虫は誘導区域と同一床面上の粘着剤被覆区域に進入して極めて効率よく粘着し捕獲される。
【００１４】
外箱の内部に加熱器を設けた発明では、外箱内および内箱内の空気が温められて滞留し、箱外の気温が比較的低い場合でも対象害虫が好む温度に設定して外箱の進入口より内部に徘徊性害虫を誘引することができる。
【００１５】
また、外箱の内部に徘徊性害虫の誘引剤を設置した発明では、害虫を味覚、触覚、臭覚、フェロモンなどで誘引して外箱内に徘徊性害虫を誘引することができる。
【００１６】
なお、この発明の捕獲装置の機能を持続させるための補修作業は、粘着剤を被覆した各階の床面を差し替えるか、または内箱全体を交換すればよく、外箱を再使用することが可能である。
【００１７】
【発明の実施の形態】
この発明の実施形態を添付図面に基づいて、以下に説明する。
図１に示すように、第１実施形態は、複数の厚紙製の床板１を上下方向に間隔をあけて配置した階層構造の箱体２を設け、箱体２は一側面を開放して各階の床面に通じる徘徊性害虫の進入路３を形成し、前記床面に粘着剤被覆区域４を設けると共に進入路３に接する床面部分には粘着剤被覆のない誘導区域５を設けた徘徊性害虫の捕獲装置Ａである。
【００１８】
箱体２は、安価な汎用の素材で形成することが好ましく、例えば全てボール紙などの厚紙で形成することが好ましい。
【００１９】
箱体２の内側面は、たとえばコルゲート紙（波状紙）２ａでもって波型の繰り返し方向が上下方向になるように形成すると、床板１を一枚ずつ簡単に差し込んで取付けでき、また一枚ずつ交換することもできる。
【００２０】
床板１の粘着剤被覆区域４に塗布する粘着剤は、ゴキブリ、アリ、ダニなどの床面を徘徊する習性のある小型の害虫が粘着可能な周知のタック性の粘着剤からなる。粘着成分としては、例えばポリブテン、液状ポリイソブチレン、液状ポリブタジエン、液状ポリクロロプレン、液状ポリサルファイド、液状ポリイソプレン、合成ゴム、天然ゴムなどである。その他に透明な粘着成分としては、炭素数１０〜１４のアルキル基を有するアルキルベンゼンまたはその誘導体、リン酸トリブチル、フタル酸ジメチル、オレイン酸ブチル、ジエチレングリコールジベンゾエートおよびアセチルリシノール酸メチルからなる群から選ばれる有機化合物を例示できる。
【００２１】
床板１の粘着剤被覆のない誘導区域５は、少なくとも駆除対象の害虫の体長より広い幅で設けることが好ましく、例えば１〜３ｃｍ程度の幅で設けることがゴキブリなどの小型の害虫を各階に誘導するために好ましい。
【００２２】
このような誘導区域５に害虫が乗ると、これより箱体２の奥の空気流動が安定していることを触覚などの器官で知覚し、粘着剤被覆区域内にスムーズに進入すると考えられる。
【００２３】
また、床板１の上下方向の間隔は、対象害虫が好む間隔に設定すればよく、例えば捕獲対象がゴキブリである場合には、虫の体の厚さにほぼ一致するように０．２〜１ｃｍ程度に設けることが好ましい。
【００２４】
図２に示すように、第２実施形態は、上面の一部に正方形状の開口部６を形成した長方体状で厚紙製の外箱７の一側壁部分に、徘徊性害虫の進入口８を底面に至るように開口させ、外箱７の内部に複数の厚紙製の床板１を上下方向に間隔をあけて配置した階層構造の内箱９を収容し、内箱９には一側面を開放して各階の床面に通じる進入路１０を設け、床面に粘着剤被覆区域４を設けると共に進入路１０に接する床面部分には粘着剤被覆のない誘導区域５を設けた徘徊性害虫の捕獲装置Ｂである。
【００２５】
図２（ａ）に示すように、内箱９は外箱７の開口部６から出し入れ可能であると共に、収納した際には内箱９と外箱７の間が整合し、害虫が逃げる間隙が形成されない大きさである。
【００２６】
図２（ｂ）に示すように、外箱７の上部には、外部電源（図示せず。）に接続可能なセラミックヒータからなる加熱器１１を固定して設け、外箱７の内部の空気を温めて気温が比較的低い場合でも対象害虫が好む温度に設定できるようにしている。加熱器としては、他の周知の機構のものを採用してもよく、たとえばカーボンを使用した面状ヒータ等の電気加熱、金属の酸化反応、ベンジンなどの液体燃料、固体燃料等を燃焼させるもの、蓄熱体からなるものなどが挙げられる。
【００２７】
図３に示すように、第２実施形態の外箱７の内側底面には、周知の誘引剤１２を設置することが好ましい。誘引剤１２としては、フェロモンや餌（カツオなどの魚粉、チーズなど）があるが、図４に示すように、液体の誘引剤をアンプル１３に入れ、スポンジ状またはフェルト状の多孔質性マット１４に突き刺して、常時補給するようにしてもよい。
【００２８】
また、図５に示すように、大型の外箱１５に内箱９を２個またはそれ以上の複数個収容してもよいのは勿論である。
【００２９】
図６及び図７に示すように、第３実施形態は、下面開口の複数の箱型ユニットｃ1 〜ｃ6 を積み重ねて床板１６を上下方向に間隔をあけて配置した階層構造の箱体Ｃであり、各箱型ユニットｃ1 〜ｃ6 の方形状床面の対向する一対の隅部に床板１６を折り曲げた斜面１７を形成すると共に開口部１８を階下のユニットの床面およびユニット外部に通じるように形成している。そして、対の開口部１８の間の床面には長方形状の粘着剤被覆区域４を設け、同一床面の進入路（開口部１８および斜面１７）に接する部分には粘着剤被覆のない誘導区域５を設け、箱型ユニットｃ1 〜ｃ6 を積み重ねる際に、各階の開口部１８が重ならないように配置して徘徊性害虫の進入路を螺旋状に形成した捕獲装置Ｃである。
【００３０】
箱型ユニットｃ1 〜ｃ6 は、ボール紙またはプラスチック板のいずれで形成されたものであってもよいが、方形状の床板１６の周縁に下向きの側壁１９には下向きの係止片２０を形成し、その直上の床面には他のユニットの係止片２０を挿入可能な係止孔２１を形成している。
【００３１】
また、斜面１７の下端部にも下向きの係止片２２を形成し、これを挿入する係止孔２３を開口部１８を形成しない床面の対向する２か所に形成している。
【００３２】
このような構造の複数の箱型ユニットｃ1 〜ｃ6 を積み重ねるには、各階毎に図７に示すように床面内で９０°回転した位置で交互に積み重ね、対応する側壁１９の係止片２０を係止孔２１に差し込んで固定し、斜面１７の係止片２２を係止孔２３に差し込んで進入路を螺旋状に連通させる。なお、最下段の箱型ユニットｃ1 の下面は、適宜に底板２４で被覆する。
【００３３】
このような階層構造の箱体からなる第３実施形態Ｃは、第１実施形態と同様にそのまま徘徊性害虫の捕獲容器として使用できるほか、第２実施形態と同様に外箱７（図２、図３または図５参照）に入れて使用することができる。
【００３４】
このような第３実施形態Ｃを使用すると、ゴキブリなどの徘徊性害虫が、最下段の箱型ユニットｃ1 ばかりでなく、各階の開口部１８からユニット内へ直接進入でき、その後は誘導区域５と斜面１７を経由して上下階の床面に進入できる。
【００３５】
一般に徘徊性害虫は、未使用状態かまたは比較的捕獲数の少ない粘着剤被覆区域４に好んで進入しようとする傾向があるが、誘導区域５と進入路が一体的に形成された第３実施形態の捕獲装置では、比較的未使用の粘着面に出会う確率が高まり、それだけ捕獲確率が高まる。
【００３６】
【発明の効果】
この発明は、以上説明したように、外箱の内部に階層構造の内箱を収容し、内箱には各階の床面に通じる進入路を形成し、床面に粘着剤被覆区域および誘導区域を設けたので、可及的に大きな面積の粘着面を有して長期間交換などの補修をする必要がなく、しかも誘導区域を介して粘着剤被覆区域に害虫が容易に進入するので捕獲効率は充分に高いという利点がある。
【００３７】
また、外箱の内部に加熱器を設け、または徘徊性害虫の誘引剤を設置した上記発明では、上記した長期間の粘着面交換不要の利点と共に、捕獲効率をよりいっそう高めることができるという利点もある。
【図面の簡単な説明】
【図１】第１実施形態の分解斜視図
【図２】（ａ）第２実施形態の分解斜視図
（ｂ）第２実施形態の外箱を切り欠いて示す正面図
【図３】第２実施形態の外箱を切り欠いて示す平面図
【図４】誘引剤の他の形態を示す斜視図
【図５】複数の内箱を有する第２実施形態の外箱を切り欠いて示す平面図
【図６】第３実施形態の斜視図
【図７】第３実施形態の分解斜視図
【符号の説明】
１、１６  床板
２  箱体
２ａ  コルゲート紙
３、１０  進入路
４  粘着剤被覆区域
５  誘導区域
６、１８  開口部
７  外箱
８  進入口
９  内箱
１１  加熱器
１２  誘引剤
１３  アンプル
１４  多孔質性マット
１５  大型の外箱
１７  斜面
１９  側壁
２０、２２  係止片
２１、２３  係止孔
２４  底板
【図１】
0003645045.tif 000002
【図２】
0003645045.tif 000003
【図３】
0003645045.tif 000004
【図４】
0003645045.tif 000005
【図５】
0003645045.tif 000006
【図６】
0003645045.tif 000007
【図７】
0003645045.tif 000008